(57)【要約】【課題】梱包封緘における部材と作業の手間を不用とし、蓋の着脱が容易で且つ物品の出し入れがし易く、効率のよい製作によりコストを低減できる梱包箱の提供を課題とする。【解決手段】内部に物品を収容する上蓋部１０と下箱部２０とからなる梱包箱であって、前記下箱部２０には対向する一対の側壁２１に掛止孔２２を設け、前記上蓋部１０には対向する一対の側壁１１の内側に弾性突片部１２を設け、該上蓋部１０を前記下箱部２０に外嵌することで前記弾性突片部１２が前記掛止孔２２内に進出して掛け止めされるようにすると共に、前記上蓋部１０の下端を握持することで前記弾性突片部１２が前記掛止孔２２から退避されるように構成した。【選択図】      図１
2008230670.tif 000002
【特許請求の範囲】
【請求項１】
内部に物品を収容する上蓋部と下箱部とからなる梱包箱であって、前記下箱部には対向する一対の側壁に掛止孔を設け、前記上蓋部には対向する一対の側壁の内側に弾性突片部を設け、該上蓋部を前記下箱部に外嵌することで前記弾性突片部が前記掛止孔内に進出して掛け止めされるようにすると共に、前記上蓋部の下端を握持することで前記弾性突片部が前記掛止孔から退避されるように構成したことを特徴とする梱包箱。
【請求項２】
上蓋部はダンボールで構成し、該上蓋部の弾性突片部は上蓋部の対向する一対の側壁の下端から折り返された折り返し片として構成してあることを特徴とする請求項１に記載の梱包箱。
【発明の詳細な説明】
【技術分野】
【０００１】
本発明は梱包箱に関する。
【背景技術】
【０００２】
従来、物品を収容した梱包箱では、蓋を閉じた後、紙、布等の粘着テープで封緘したり、ＰＰバンドや紐、縄等で梱包箱を結束して固結梱包していた。
一方、特開２００６−３２１５３８号公報は、外周側板に複数の結合孔を設けた下方開放の箱状の上蓋と、対向する側壁に複数の組立孔を設けた胴筒と、外周側板に複数の結合孔を設けた上方開放の箱状の下蓋とで構成される組立式梱包体であって、ジョイントを開いて上蓋が胴筒の上部で開閉できるようにした構成が開示されている。
また特開２００７−２２６０５号公報、特開２００５−３４３４７８号公報には、一方の天板の差込片を、他方の天板の差込孔に差し込むことで、天板を組み立てるようにした梱包箱が提供されている。
【特許文献１】特開２００６−３２１５３８号公報
【特許文献２】特開２００７−２２６０５号公報
【特許文献３】特開２００５−３４３４７８号公報
【発明の開示】
【発明が解決しようとする課題】
【０００３】
上記特許文献１に示す組立式梱包体の場合は、上蓋と胴筒とを結合するのに複数のジョイントを着脱しなければならない問題がある。
上記特許文献２、上記特許文献３に示すものは、天板に形成した差込片を差込孔に差し込んで閉塞状態が保持できる蓋となるので、開け易い蓋にはなるが開閉が自在の蓋としては問題があった。
【０００４】
そこで本発明は梱包封緘における部材と作業の手間を不要とし、蓋の着脱が容易で且つ物品の出し入れがし易く、また効率のよい製作によりコストを低減できる梱包箱の提供を課題とする。
【課題を解決するための手段】
【０００５】
上記課題を達成するため本発明の梱包箱は、内部に物品を収容する上蓋部と下箱部とからなる梱包箱であって、前記下箱部には対向する一対の側壁に複数の掛止孔を設け、前記上蓋部には対向する一対の側壁の内側に弾性突片部を設け、該上蓋部を前記下箱部に外嵌することで前記弾性突片部が前記掛止孔内に進出して掛け止めされるようにすると共に、前記上蓋部の下端を握持することで前記弾性突片部が前記掛止孔から退避されるように構成したことを特徴としている。
また本発明の梱包箱は、上記第１の特徴に加えて、上蓋部はダンボールで構成し、該上蓋部の弾性突片部は上蓋部の対向する一対の側壁の下端から折り返された折り返し片として構成してあることを第２の特徴としている。
【発明の効果】
【０００６】
請求項１に記載の梱包箱によれば、内部に物品を収容する上蓋部と下箱部とからなる梱包箱であって、前記下箱部には対向する一対の側壁に複数の掛止孔を設け、前記上蓋部には対向する一対の側壁の内側に弾性突片部を設け、該上蓋部を前記下箱部に外嵌することで前記弾性突片部が前記掛止孔内に進出して掛け止めされるようにすると共に、前記上蓋部の下端を握持することで前記弾性突片部が前記掛止孔から退避されるように構成しているので、
上蓋部に設けた前記弾性突片部と、下箱部に設けた前記掛止孔とによって、上蓋部を下箱部に外嵌するだけで掛止状態となり封緘固定ができると共に、開蓋の際には上蓋部の下端を握持することで前記弾性突片部を前記掛止孔から退避させて容易に上蓋部を外すことができる。
特に上記の様なワンタッチの開閉であっても掛合固着されるので、従来の梱包のような下箱の上部に載置した上蓋を下箱と共にＰＰバンドやＰＰ紐、縄等で結束することが不要となり、梱包が手早くでき、且つ部材の削減と効率のいい製作によってコスト削減を可能にすることができる。また着脱自在の上蓋部により梱包箱として繰り返しの使用にも有用である。
【０００７】
また請求項２に記載の梱包箱によれば、上記請求項１に記載の構成による効果に加えて、上蓋部はダンボールで構成し、該上蓋部の弾性突片部は上蓋部の対向する一対の側壁の下端から折り返された折り返し片として構成してあるので、
ダンボールを折り返してなる折り返し片に生じる弾性力を利用して、弾性突片部を容易に得ることができる。これにより上蓋部の下端を握り持つことで、同時に弾性突片部をその弾性付勢力に抗して掛止孔から退避させることができ、また弾性突片部の弾性付勢力により自動的に掛止孔に進出して、掛け止め状態とすることができる。
【発明を実施するための最良の形態】
【０００８】
以下の図面を参照して、本発明の実施形態に係る梱包箱について説明する。
図１は本発明の実施形態に係る梱包箱を示す全体斜視図、図２は本発明の梱包箱の上蓋部を示す断面図、図３は上蓋部を下箱部に外嵌させて掛け止めをする動作を説明する端面図、図４は上蓋部を開蓋する動作を説明する端面図である。
【０００９】
まず図１を参照して、本発明の実施形態に係る梱包箱は、上蓋部１０と、下箱部２０で構成される。
【００１０】
上蓋部１０は、その４辺に下向きの側壁１１を形成しており、下箱部２０の開口縁２０ａに外嵌して蓋をなすものである。材質としては、紙やプラスチック製のダンボールで構成する。
上蓋部１０の４つの側壁１１のうち、長手方向に対向する一対の側壁１１、１１の内側に、前記下箱部２０と掛合固着するための弾性突片部１２が設けられている。
【００１１】
下箱部２０は、紙やプラスチック製のダンボールからなる長方体の箱に形成している。該下箱部２０の上部となる開口縁２０ａに前記上蓋部１０が外嵌されるように構成されている。
下箱部２０に対して、上蓋部１０の前記対向する一対の側壁１１、１１間の距離、即ち上蓋部１０の長手方向寸法より、少し長くなるように構成している。これにより後述する空間Ｓ（図４参照）が、下箱部２０と上蓋部１０の間に構成される。この空間Ｓは長手方向における上蓋部１０と下蓋部２０との間のみに構成される。
【００１２】
下箱部２０には、長手方向に対向する一対の側壁２１、２１に、前記上蓋部１０の弾性突片部１２を掛け止めする掛止孔２２を設けている。
また前記下箱部の一対の側壁２１、２１の中央部には、側壁欠成部２３を設けている。
【００１３】
前記側壁欠成部２３は、前記下箱部２０にロール体の軸等をスムーズに受け入れて収容させることができる受け入れ溝として設けられる。
側壁欠成部２３は、前記一対の側壁２１、２１の中央位置に少なくとも手が挿通できる大きさの幅と深さを形成して構成される。
前記上蓋部１０の着脱に際しては、前記側壁欠成部２３に手Ｈを挿入して、前記上蓋部１０の前記一対の側壁１１の下端１１ａを手Ｈで握持する。このようにすることにより、下箱部２０の一対の側壁２１に当って邪魔になったりせずに手Ｈを挿入させることができ、確り握れて着脱できるようになる。
また本実施形態では、前記下箱部２０はロール体を収容する梱包下箱としているが、一般に用いられる長方体の梱包箱においても、側壁中央に手が挿入できる程度の幅と深さの側壁欠成部を形成することで、下箱が邪魔になったりせずに手を挿入させることができ、上蓋の着脱を簡単にすることができる。
【００１４】
図２も参照して、前記弾性突片部１２は、前記一対の側壁１１の下端１１ａから折り返されて形成された折り返し片として構成されており、握持片１２ａとその上辺の２ヵ所に設けられた掛止片１２ｂとで構成されている。この掛止片１２ｂが、具体的に前記掛止孔２２に対応する。
【００１５】
前記握持片１２ａは、上蓋部１０の一対の側壁１１を下端１１ａから折り返した状態とすることで、折り戻し方向への復元力、即ち弾性力が付与された状態になされている。従って握持片１２ａは、折り返された状態で、側壁１１に対して所定の角度θで傾斜した状態に保持されている。そして上蓋部１０の一対の側壁１１の下端１１ａを作業者が握り持った際には、前記握持片１２ａが一緒に握られることで、前記側壁１１との角度θが縮小される。一方、作業者が側壁１１の下端１１ａを手放すことで、縮小していた前記側壁１１との角度θが元の角度に復帰する。
握持片１２ａは、その横方向寸法が、上蓋部１０の側壁１１の下端１１ａの中央部を含む領域に亘る広範囲の幅をもつように構成されている。勿論、握持片１２ａは、側壁１１の下端１１ａの全長に亘る幅で構成してもよい。
このようにして握持片１２ａの横幅を広くすることで、作業者が上蓋部１０の側壁１１の下端１１ａを握り持った際には必ず握持片１２ａも一緒に握られ、握持片１２ａの折り返しの角度θが縮小されるようにしている。
【００１６】
前記掛止片１２ｂは、握持片１２ａの上辺の２ヶ所から突出する突出片として構成されている。この一対の掛止片１２ｂが前記下箱部２０の掛止孔２２に掛り合うことで、上蓋部１０が下箱部２０から外れなくなる。なお本実施形態では、掛止片１２ｂは握持片１２ａに２ヶ所構成しているが、これに限定されるものではなく、１乃至複数ヶ所に構成することができる。
前記握持片１２ａの底辺から掛止片１２ｂの先端１２ｃまでの寸法は、上蓋部１０の側壁１１の縦方向寸法、握持片１２ａの折り返しの角度θ、下箱部２０の掛止孔２２の位置との関係において、掛止片１２ｂが掛止孔２２に入り込むが、その入り込み程度は掛止片１２ｂの先端１２ｃが掛止孔２２の上辺に当接する程度に浅く入り込むように、寸法調整を行う。掛止片１２ｂを掛止孔２２に対して浅く入り込むように構成することで、作業者が上蓋部１０を下箱部２０から外す際、掛止片１２ｂを掛止孔２２から容易に脱出させることができる。
【００１７】
図３を参照して、前記上蓋部１０を下箱部２０に嵌め合わせる場合を説明する。
今、図３の左の図に示すように、上蓋部１０を下箱部２０に被せて降下させると、弾性突片部１２は、その弾性付勢力に抗して折り返しの角度θが縮小された状態で、弾性突片部１２（掛止片１２ｂ）の先端１２ｃが下箱部２０の側壁１１の側面に当接しながら降下してゆく。
そして上蓋部１０がほぼ完全に下箱部２０に被さった時点（図３の右の図）で、弾性突片部１２（掛止片１２ｂ）の先端１２ｃが下箱部２０の掛止孔２２に達し、弾性突片部１２の付勢力により先端１２ｃが掛止孔２２に進出して入り込み、相互に掛け止めされる。この状態では、上蓋部１０は下箱部２０に嵌合（外嵌）状態となり、外れなくなる。
【００１８】
次に図４を参照して、上蓋部１０を開蓋する場合を説明する。
開蓋に際しては、作業者が上蓋部１０の前記一対の側壁１１の下端１１ａを手Ｈで握ることになる。このとき、前記上蓋部１０の一対の側壁１１と前記下箱部２０の一対の側壁２１との間の空間Ｓに指が入って、前記弾性突片部１２の握持片１２ａを一緒に握ることになる。即ち、上蓋部１０の下端を握り持つ動作を行うと、その動作によって同時に弾性突片部１２の握持部１２ａを握ることとなる。これによって前記弾性突片部１２がその付勢力に抗して角度θを縮小される結果、前記掛止片１２ｂが掛止孔２２から後退されて、その掛け止めが解除される。よって作業者は、そのまま上蓋部１０を上方に持ち上げることで、特別な手操作等をすることなく、上蓋部１０を開蓋することができる。
【００１９】
上記のような構成により本発明の梱包箱は、前記上蓋部１０を前記下箱部２０に外嵌させるだけで、該上蓋部１０の弾性突片部１２と該下箱部２０の掛止孔２２とが掛止状態となり、前記上蓋部１０を持ち上げても蓋が開かず、前記下箱部２０とが掛合固着とされて封緘状態を保持するようになる。
これによって、従来の梱包で行っていたＰＰバンドや紐、縄等での結束を行わずとも、前記上蓋部１０が外れず、箱内部の物品を保護して汚れ等を防ぐことができる。
また開蓋の際には、作業者が前記上蓋部１０の側壁１１の下端１１ａを握持するだけで、弾性突片部１２（掛止片１２ｂ）と掛止孔２２との掛け止め状態が同時に解消され、そのまま上蓋部１０を取り去ることができるので、非常に簡単で容易に開蓋ができ、紐やバンドの結束を解くといった作業をすることなく、非常にスムーズに物品の出し入れ作業に取りかかかることができる。勿論、梱包箱として繰り返し利用ができる有用なものである。
【図面の簡単な説明】
【００２０】
【図１】本発明の実施形態に係る梱包箱を示す全体斜視図である。
【図２】本発明の実施形態に係る梱包箱の要部を示す断面図である。
【図３】上蓋部を下箱部に外嵌させて掛け止めをする動作を説明する端面図である。
【図４】上蓋部を開蓋する動作を説明する端面図である。
【符号の説明】
【００２１】
１０    上蓋部
１１    側壁
１１ａ  下端
１２    弾性突片部
１２ａ  握持片
１２ｂ  掛止片
１２ｃ  先端
２０    下箱部
２０ａ  開口縁
２１    側壁
２２    掛止孔
２３    側壁欠成部
Ｓ      空間
Ｈ      手
θ      角度
【図１】
2008230670.tif 000003
【図２】
2008230670.tif 000004
【図３】
2008230670.tif 000005
【図４】
2008230670.tif 000006